(57)【要約】【課題】  表示画像の明るさに応じたバックライト光源の輝度調節を簡単な回路構成で実現する。【解決手段】  昇圧回路１４は、液晶表示パネル１６のバックライト光源１８に印加すべき電圧を電池１０の出力電圧から生成する。バックライト光源１８は、スイッチ２８及びモニタ抵抗３０を介してアースに接続する。比較回路４４はモニタ抵抗３０の端子間電圧を基準電圧Ｖｒｅｆと比較し、電源制御回路４６は、比較回路４４の出力に従い昇圧回路１４の出力電圧を制御する。ＰＷＭ発生回路３２は、液晶表示パネル１６の表示画像の輝度を示すデューティ比のＰＷＭ信号を発生する。このＰＷＭ信号は平滑化回路３８で平滑化され、アンプ４０及び可変抵抗４２を介してモニタ抵抗３０に印加される。電源制御回路４６は、基準電圧Ｖｒｅｆの電圧値と可変抵抗４２の抵抗値を一定の関係式の下で変更する。【選択図】  図１
2018073716.tif 000002
【特許請求の範囲】
【請求項１】
液晶表示手段のバックライト光源を駆動する光源駆動装置であって、
前記バックライト光源に印加すべき印加電圧を生成する電圧生成手段と、
前記バックライト光源の駆動電流をモニタするモニタ抵抗と、
前記液晶表示手段の表示画像の輝度値を示す電気信号の入力手段と、
前記電気信号を電流信号に変換して前記モニタ抵抗に入力する変換手段と、
前記モニタ抵抗の端子間電圧を基準電圧と比較する比較手段と、
前記比較手段の比較結果に従い、前記モニタ抵抗の端子間電圧が前記基準電圧に等しくなるように前記電圧生成手段により前記印加電圧を制御する制御手段
とを具備し、
前記制御手段は、前記基準電圧の変更に応じて、前記変換手段における前記電流信号への変換率を変更する
ことを特徴とする光源駆動装置。
【請求項２】
前記電気信号が、デューティ比により前記液晶表示手段の表示画像の輝度値を示すＰＷＭ信号であることを特徴とする請求項１に記載の光源駆動装置。
【請求項３】
前記入力手段は、前記ＰＷＭ信号を平滑化する平滑化手段を含み、
前記電気信号が電圧信号である
ことを特徴とする請求項２に記載の光源駆動装置。
【請求項４】
前記変換手段は、前記電圧信号を前記モニタ抵抗に接続する可変抵抗を含むことを特徴とする請求項３に記載の光源駆動装置。
【請求項５】
前記制御手段は、前記基準電圧の変更に応じて前記可変抵抗の抵抗値を変更することを特徴とする請求項４に記載の光源駆動装置。
【請求項６】
前記制御手段は、下記式に従い、前記可変抵抗の抵抗値を変更することを特徴とする請求項５に記載の光源駆動装置。
Ｒａ＝（（ＶＰＭＷ−Ｖｒｅｆ）×Ｒｓ／Ｖｒｅｆ
ただし、Ｒｓはモニタ抵抗の抵抗値、ＶＰＭＷは前記電気信号の電圧値、Ｖｒｅｆは前記基準電圧の電圧値である。
【請求項７】
前記制御手段は、前記駆動電流の制御範囲において、下限の駆動電流が前記基準電圧のどの電圧値に対しても同じ電流量になるように、前記基準電圧の変更に連動して可変抵抗の抵抗値を変更することを特徴とする請求項５に記載の光源駆動装置。
【請求項８】
前記電圧生成手段は、電池の出力電圧をＤＣ−ＤＣコンバータ方式で昇圧する昇圧回路であることを特徴とする請求項１から７のいずれか１項に記載の光源駆動装置。
【請求項９】
液晶表示手段のバックライト光源を駆動する光源駆動方法であって、
電圧生成手段により前記バックライト光源に印加すべき印加電圧を生成する電圧生成ステップと、
前記バックライト光源に直列に接続するモニタ抵抗により前記バックライト光源の駆動電流をモニタするモニタステップと、
前記液晶表示手段の表示画像の輝度値を示す電気信号を入力する入力ステップと、
前記電気信号を電流信号に変換して前記モニタ抵抗に入力する変換ステップと、
前記モニタ抵抗の端子間電圧を基準電圧と比較する比較ステップと、
前記比較ステップの比較結果に従い、前記モニタ抵抗の端子間電圧が前記基準電圧に等しくなるように前記印加電圧を制御する制御ステップと、
前記基準電圧の変更に応じて前記変換ステップにおける前記電流信号への変換率を変更する変更ステップ
とを有することを特徴とする光源駆動方法。
【請求項１０】
前記電気信号が、デューティ比により前記液晶表示手段の表示画像の輝度値を示すＰＷＭ信号であることを特徴とする請求項９に記載の光源駆動方法。
【請求項１１】
前記入力ステップは、平滑化手段により前記ＰＷＭ信号を平滑化する平滑化ステップを含むことを特徴とする請求項１０に記載の光源駆動方法。
【請求項１２】
前記変換ステップは、前記変更ステップにより抵抗値を変更される可変抵抗により前記電気信号を電流信号に変換して前記モニタ抵抗に入力ことを特徴とする請求項９から１１のいずれか１項に記載の光源駆動方法。
【請求項１３】
前記変更ステップは、下記式に従い、前記可変抵抗の抵抗値を変更することを特徴とする請求項１２に記載の光源駆動方法。
Ｒａ＝（（ＶＰＭＷ−Ｖｒｅｆ）×Ｒｓ／Ｖｒｅｆ
ただし、Ｒｓはモニタ抵抗の抵抗値、ＶＰＭＷは前記電気信号の電圧値、Ｖｒｅｆは前記基準電圧の電圧値である。
【請求項１４】
前記変更ステップは、前記駆動電流の制御範囲において、下限の駆動電流が前記基準電圧のどの電圧値に対しても同じ電流量になるように、前記基準電圧の変更に連動して前記可変抵抗の抵抗値を変更することを特徴とする請求項１２に記載の光源駆動方法。
【請求項１５】
前記電圧生成ステップは、電池の出力電圧をＤＣ−ＤＣコンバータ方式で昇圧することを特徴とする請求項９から１３のいずれか１項に記載の光源駆動方法。
【発明の詳細な説明】
【技術分野】
【０００１】
本発明は、液晶表示装置のバックライト光源を駆動する光源駆動装置及び方法に関する。
【背景技術】
【０００２】
デジタルカメラ及び携帯電話などの携帯電子機器は、電池を電源とすることから、省電力を求められる。これらの携帯電子機器は表示手段として、液晶表示パネル等のフラットディスプレイを採用する。液晶表示パネルのバックライトとなる発光ダイオード（ＬＥＤ）の輝度を調節する方法としてＰＷＭ（パルス幅変調）信号を使うことは知られている。
【０００３】
特許文献１には、発光ダイオード（ＬＥＤ）をＰＷＭ信号で駆動する照明装置において、ＰＷＭ信号のオン時のＬＥＤへの印加電圧を保持し、オフ時のＬＥＤへの印加電圧をオン時の印加電圧に帰還制御する技術が記載されている。これにより、ＰＷＭ信号のデューティ比が小さい場合でも、ＬＥＤの発光強度を適切に制御できる。
【０００４】
特許文献２には、表示画像の輝度値を拡張するホワイトマジック処理において、この処理を施した画像を透過型液晶表示装置で表示する場合、バックライトを拡張率に相当する割合で暗くすることで、表示輝度を維持することが記載されている。
【先行技術文献】
【特許文献】
【０００５】
【特許文献１】特開２０１１−２２８０６３号公報
【特許文献２】特開２０１５−２２２４０１号公報
【発明の概要】
【発明が解決しようとする課題】
【０００６】
液晶表示装置のバックライト光源に特許文献１に記載される技術を適用する場合、ＰＷＭ信号のオン時の光源への印加電圧を保持し、オフ時の光源への印加電圧をオン時の印加電圧に帰還制御する回路構成を追加する必要があり、コストが上昇する。
【０００７】
また、バックライト光源の駆動に使用されるような最近の電源ＩＣは、出力電圧を決定する基準電圧を外部から変更する手段を有しないものがある。このような電源ＩＣを採用する場合、特許文献１に記載される技術を適用できない。
【０００８】
本発明は、より簡単な構成で表示画像の明るさに応じてバックライト光源の輝度制御を実現する光源駆動装置及び方法を提示することを目的とする。
【課題を解決するための手段】
【０００９】
上記目的を達成するために、本発明に係る光源駆動装置は、液晶表示手段のバックライト光源を駆動する光源駆動装置であって、前記バックライト光源に印加すべき印加電圧を生成する電圧生成手段と、前記バックライト光源の駆動電流をモニタするモニタ抵抗と、前記液晶表示手段の表示画像の輝度値を示す電気信号の入力手段と、前記電気信号を電流信号に変換して前記モニタ抵抗に入力する変換手段と、前記モニタ抵抗の端子間電圧を基準電圧と比較する比較手段と、前記比較手段の比較結果に従い、前記モニタ抵抗の端子間電圧が前記基準電圧に等しくなるように前記電圧生成手段により前記印加電圧を制御する制御手段
とを具備し、前記制御手段は、前記基準電圧の変更に応じて、前記変換手段における前記電流信号への変換率を変更することを特徴とする。
【００１０】
本発明に係る光源駆動方法は、液晶表示手段のバックライト光源を駆動する光源駆動方法であって、電圧生成手段により前記バックライト光源に印加すべき印加電圧を生成する電圧生成ステップと、前記バックライト光源に直列に接続するモニタ抵抗により前記バックライト光源の駆動電流をモニタするモニタステップと、前記液晶表示手段の表示画像の輝度値を示す電気信号を入力する入力ステップと、前記電気信号を電流信号に変換して前記モニタ抵抗に入力する変換ステップと、前記モニタ抵抗の端子間電圧を基準電圧と比較する比較ステップと、前記比較ステップの比較結果に従い、前記モニタ抵抗の端子間電圧が前記基準電圧に等しくなるように前記印加電圧を制御する制御ステップと、前記基準電圧の変更に応じて前記変換ステップにおける前記電流信号への変換率を変更する変更ステップとを有することを特徴とする。
【発明の効果】
【００１１】
本発明によれば、バックライトＬＥの駆動電流をモニタするモニタ抵抗を利用して表示画像の明るさに応じたバックライト光源の輝度調節を実現するので、簡略な回路構成で済む。
【図面の簡単な説明】
【００１２】
【図１】本発明の一実施例の回路構成図である。
【図２】ＰＷＭ信号と平均電圧との関係を示す模式図である。
【図３】ＰＷＭ信号のデューティ比と駆動電流の対応関係を示す特性図である。
【図４】本実施例の動作フローチャートである。
【発明を実施するための形態】
【００１３】
以下、図面を参照して、本発明の実施例を詳細に説明する。
【実施例１】
【００１４】
図１は、本発明に係る光源駆動装置の一実施例の回路図を示す。
【００１５】
電池１０は、３．０〜４．２Ｖの電圧を出力する。電池１０の出力電圧は、電源ＩＣ１２をスルーして、ＤＣ−ＤＣコンバータ方式の昇圧回路１４に印加される。昇圧回路１４の出力電圧は、液晶表示パネル１６のバックライト光源１８の一端に印加される。昇圧回路１４は、電池１０の出力電圧からバックライト光源１８の駆動に必要な電圧を生成する電圧生成回路である。バックライト光源１８は、通常、４ないし６個のＬＥＤを直列接続した構成からなり、その駆動には１０〜１５Ｖの電圧が必要である。昇圧回路１４が、電池１０の出力電圧をこの電圧に昇圧する。なお、本実施例では、バックライト光源にＬＥＤを用いた場合を例示するが、レーザー光源や、有機ＥＬ（Ｅｌｅｃｔｒｏ  Ｌｕｍｉｎｅｓｃｅｎｃｅ）光源を用いてもよい。
【００１６】
昇圧回路１４は、インダクタンス２０、順方向のダイオード２２及びコンデンサ２４の直列回路と、インダクタンス２０とダイオード２２の接続点をアースに接続するスイッチ２６からなる。スイッチ２６は、電源ＩＣ１２に内蔵され、電界効果トランジスタにより実現される。ダイオード２２のカソードとコンデンサ２４の接続点の電圧が、昇圧回路１４の出力電圧となる。
【００１７】
昇圧回路１４は、スイッチ２６をオン・オフする周波数及びそのデューティ比により、昇圧回路１４の昇圧比、すなわち、昇圧回路１４の出力電圧を制御できる。すなわち、インダクタンス２０は、スイッチ２６がオンの間に、電池１０の出力によりエネルギーを蓄積し、スイッチ２６がオフになると、そのエネルギーをダイオード２２を介してコンデンサ２４に放出してコンデンサ２４に電荷を蓄積させる。スイッチ２６のオン・オフを繰り返すことで、コンデンサ２４の端子間電圧として、電池１０の出力電圧よりも高い直流電圧を得ることができる。図１に示す昇圧回路１４の構成は一例であり、その他のＤＣ−ＤＣコンバータ構成を採用できることはいうまでもない。
【００１８】
バックライト光源１８の他端は、電界効果トランジスタからなるスイッチ２８及びモニタ抵抗３０を介してアースに接続する。すなわち、昇圧回路１４から出力される駆動電流は、バックライト光源１８、スイッチ２８及びモニタ抵抗３０を介してアースに流れる。バックライト光源１８の駆動電流のオン時の電流値は、昇圧回路１４の出力電圧と、モニタ抵抗３０の抵抗値により決定される。モニタ抵抗３０は、バックライト光源１８の駆動電流をモニタする手段と、駆動電流の電流量を決定する手段を兼用する。
【００１９】
スイッチ２８は、バックライト光源１８をオン（点灯）とオフ（非点灯）との間で切り替えるために使用可能である。周知の通り、スイッチ２８を周期的にオンにし、オン期間とオフ期間の比率（デューティ比）を制御することで、バックライト光源１８の輝度を調節できる。
【００２０】
液晶表示パネル１６はまた、表示画像の輝度値、すなわち液晶表示パネル１６に印加される画像データの輝度値を示すデューティ比のＰＷＭ信号を発生するＰＷＭ発生回路３２を具備する。ＰＷＭ発生回路３２から出力されるＰＷＭ信号は、シリアルに接続された抵抗３４とコンデンサ３６からなる平滑化回路（または積分回路）３８に入力し、平滑化される。図１に示す平滑化回路３８の回路構成は一例であり、その他の回路構成を採用しても良い。アンプ４０は、平滑化回路３８から出力される電圧信号を電流増幅する。ＰＷＭ発生回路３２、平滑化回路３８及びアンプ４０に代えて、表示画像の輝度値を示す電圧値または電流値の電気信号を生成する回路を採用してもよい。
【００２１】
アンプ４０の出力は、可変抵抗４２を介してスイッチ２８とモニタ抵抗３０の接続点に接続する。これにより、モニタ抵抗３０の端子間電圧は、バックライト光源１８の駆動信号と、ＰＷＭ発生回路３２の出力するＰＷＭ信号が示す表示画像の輝度を示す電流とを加味した大きさを示す。詳細は後述するが、本実施例では、可変抵抗４２の抵抗値を変更することで、バックライト光源１８の印加電圧（昇圧回路１４の出力電圧）の制御に対する、表示画像の輝度の影響度を調節する。すなわち、可変抵抗４２は、アンプ４０から出力される電圧信号を電流信号に変換してモニタ抵抗３０に供給する変換手段であり、可変抵抗４２の抵抗値が電圧を電流に変換する変換率を決定する。
【００２２】
ＰＷＭ発生回路３２は、例えば、ホワイトマジック処理において、表示画像の輝度値の拡張度に応じてバックライト光源１８を暗くするために設けられる。また、周囲光の明るさに応じてバックライトの輝度を制御することがある。この目的に、ＰＷＭ発生回路３２、平滑化回路３８及びアンプ４０からなる回路、またはこれに類似する回路を、液晶表示パネル１６の周囲光の明るさをバックライト光源１８の制御回路に通知する手段として設けても良い。
【００２３】
電源ＩＣ１２の比較回路４４は、スイッチ２８とモニタ抵抗３０の接続点の電圧、すなわち、モニタ抵抗３０の端子間電圧を所定の基準電圧Ｖｒｅｆと比較し、比較結果を電源制御回路４６に印加する。電源制御回路４６は、モニタ抵抗３０の端子間電圧がＶｒｅｆに収束するように、スイッチ２６のデューティ比（及び周波数）を帰還制御する。すなわち、電源制御回路４６は、スイッチ２６による昇圧回路１４の出力電圧の制御を通じて、バックライト光源１８の駆動電流値を制御する。
【００２４】
電源制御回路４６は、Ｉ２Ｃ（アイツーシー）またはＳＤＩ（シリアルデジタルインターフェイス）等の通信方式で外部の制御回路４８と通信する。比較回路４４の出力による制御とは別に、電源制御回路４６は、制御回路４８からの指示された駆動電流値を内蔵するレジスタに記憶し、昇圧回路１４の基本出力電圧値をその駆動電流値に対応する電圧値に制御する。
【００２５】
例えば、モニタ抵抗３０の抵抗値はおよそ１０〜２０Ωであり、基準電圧Ｖｒｅｆは２５０ｍＶ程度である。この基準電圧Ｖｒｅｆを変更することで、バックライト光源１８の点灯時の輝度、すなわち、液晶表示パネル１６の輝度を変更できる。例えば、電源制御回路４６は、ユーザの設定操作に従い、基準電圧Ｖｒｅｆを２５０ｍＶ以外に、２００ｍＶまたは１５０ｍＶ等に変更可能である。基準電圧Ｖｒｅｆが低くなると、電源制御回路４６は、昇圧回路１４の出力電圧の制御を通じて、バックライト光源１８の駆動電流をより小さな電流値に制御する。
【００２６】
電源ＩＣ１２は、電池１０の出力電圧から、バックライト光源１８以外のデバイスまたは回路に供給されるべき電圧も生成する。例えば、電源ＩＣ１２は、１．８Ｖ及び３．３Ｖなどの出力端子を具備する。電源ＩＣ１２は、各出力端子からの出力電流を所定値、例えば、１５ｍＡ、１６ｍＡ及び１７ｍＡ等にデジタル制御できる。
【００２７】
本実施例の特徴的な制御動作を説明する。表示画像の明るさを示す電流値の電流が可変抵抗４２からモニタ抵抗３０に流れる。その結果、電源制御回路４６は、表示画像が明るいときには、バックライト光源１８の駆動電流値を下げる方向に昇圧回路１４を制御する。逆に、表示画像が暗いとき、電源制御回路４６は、相対的に、バックライト光源１８の駆動電流値を増やす方向に昇圧回路１４を制御する。
【００２８】
図２は、ＰＷＭ発生回路３２から出力されるＰＷＭ信号と、平滑化回路３８の出力電圧（平均値）との対応を示す模式図である。図２（Ａ１），（Ｂ１），（Ｃ１）は、異なるデューティ比のＰＷＭ信号の波形例を示す。図２（Ａ２）、（Ｂ２）、（Ｃ２）はそれぞれ図２（Ａ１），（Ｂ１），（Ｃ１）に対応する、平滑化回路３８の出力電圧値（平均値）を示す。ＰＷＭ信号のデューティ比が大きいほど、平滑化回路３８の出力電圧（平均値）が高くなり、デューティ比が小さいほど、平滑化回路３８の出力電圧（平均値）が低くなる。
【００２９】
電源制御回路４６は、下記式（１）に従うように、バックライト光源１８を流れる駆動電流Ｉｄを制御する。すなわち、
Ｉｄ＝Ｖｒｅｆ／Ｒｓ−（ＶＰＭＷ×Ｄ／１００−Ｖｒｅｆ）／Ｒａ        （１）
ただし、Ｒｓはモニタ抵抗３０の抵抗値を示す。ＶＰＭＷはＰＷＭ信号の電圧値を示す。Ｄは、ＰＷＭ発生回路３２から出力されるＰＷＭ信号のデューティ比（０〜１００％）を示す。Ｒａは、可変抵抗４２の抵抗値を示す。電源制御回路４６はまた、
Ｒａ＝（（ＶＰＭＷ−Ｖｒｅｆ）×Ｒｓ／Ｖｒｅｆ          （２）
に従い、可変抵抗４２の抵抗値Ｒａを基準電圧Ｖｒｅｆに応じて調整する。
【００３０】
図３は、式（１）の特性図を示す。横軸は、デューティ比Ｄを示し、縦軸は駆動電流Ｉｄを示す。デューティ比Ｄが大きいほど、（ＶＰＭＷ×Ｄ／１００−Ｖｒｅｆ）／Ｒａが大きくなるので、駆動電流Ｉｄが小さくなる。逆に、デューティ比Ｄが小さいと、（ＶＰＭＷ×Ｄ／１００−Ｖｒｅｆ）／Ｒａが小さくなり、駆動電流Ｉｄが大きくなる。図３に示す特性線３０１は、この関係を示す。図３では、デューティ比Ｄが０％のとき、駆動電流Ｉｄが２５ｍＡになり、デューティ比Ｄが１００％のとき、駆動電流Ｉｄが０ｍＡになるように各定数が設定されている。
【００３１】
可変抵抗４２の抵抗値Ｒａを、基準電圧Ｖｒｅｆに関わらず一定とした場合、式（１）に示す特性は、基準電圧Ｖｒｅｆが変更されたとしても、傾きが抵抗値Ｒａにより規定されるので、特性３０２，３０３のように、特性３０１を平行移動したものとなる。特性３０２，３０３では、デューティ比Ｄが高い部分では、駆動電流Ｉｄが早期に０ｍＡになってしまい、デューティ比に比例した駆動電流制御を実現できない。すなわち、０％から１００％のデューティ比の範囲で、駆動電流のダイナミックレンジを確保できない。
【００３２】
これに対して、本実施例では、可変抵抗４２の抵抗値Ｒａを基準電圧Ｖｒｅｆに応じて式（２）に示すように変更するので、基準電圧Ｖｒｅｆが変更されても、駆動電流Ｉｄのダイナミックレンジを確保できる。特性３１２，３１３は、式（２）に従い可変抵抗４２の抵抗値Ｒａを基準電圧Ｖｒｅｆに応じて変更した場合の特性を示す。特性３１２，３１３に模式的に示すように、デューティ比Ｄが１００％になったときに、駆動電流Ｉｄが０ｍＡとなるように制御される。特性３０２，３０３と対比すると分かるように、本実施例では、駆動電流Ｉｄのダイナミックレンジを確保できる。
【００３３】
図３に示す特性で、デューティ比が１００％の場合に駆動電流Ｉｄを０ｍＡとしているのは例示であり、非ゼロの電流量であってもよい。例えば、デューティ比が０％の駆動電流量よりは少ないが、ゼロよりは大きな一定の駆動電流量をデューティ比１００％に対して設定する。換言すると、駆動電流の制御範囲において、下限の駆動電流がどの基準電圧Ｖｒｅｆに対しても同じ電流量になるように、基準電圧Ｖｒｅｆの変更に連動して可変抵抗４２の抵抗値を変更する。
【００３４】
図４は、可変抵抗４２の抵抗値Ｒａを基準電圧Ｖｒｅｆに応じて変更する処理のフローチャートである。電源オンにより、電源制御回路４６は、図４に示す処理を実行する。
【００３５】
Ｓ４０１で、電源制御回路４６は、基準電圧Ｖｒｅｆを初期設定する。このとき基準電圧Ｖｒｅｆに設定される電圧値は、直前の電源オフ時の電圧値である。
【００３６】
Ｓ４０２で、電源制御回路４６は、制御回路４８から基準電圧Ｖｒｅｆの設定変更に関する指示があるかどうかを判断する。例えば、ユーザは、図示しない操作部により、液晶表示パネル１６（のバックライト光源１８）の輝度変更を制御回路４８に指示できる。制御回路４８は、指示された輝度に応じた基準電圧値への設定変更を電源制御回路４６に通知する。
【００３７】
設定変更の指示がある場合（Ｓ４０２）、Ｓ４０３で、電源制御回路４６は、制御回路４８かの指示に対応する電圧値に基準電圧Ｖｒｅｆを変更し、同時に、可変抵抗４２の抵抗値Ｒａを式（２）に従い変更する。基準電圧Ｖｒｅｆの電圧値及び可変抵抗４２の抵抗値Ｒａを変更した後、電源制御回路４６は、図４に示す処理を終了する。
【００３８】
設定変更の指示がない場合（Ｓ４０２）、電源制御回路４６は、基準電圧Ｖｒｅｆの電圧値及び可変抵抗４２の抵抗値Ｒａをそのままに維持して、図４に示す処理を終了する。
【００３９】
図４に示す制御により、基準電圧Ｖｒｅｆの電圧値の変更に対して、特性３１２，３１３を実現できる。すなわち、０％から１００％の間でデューティ比に比例した電流制御が可能になる。
【００４０】
電源制御回路４６は、スイッチ２８のオン／オフを所定周波数及びデューティ比で繰り返すことで、バックライト光源１８をＰＷＭ駆動してもよい。このＰＷＭ駆動において、電源制御回路４６は、スイッチ２６による昇圧回路１４の出力電圧の制御を通じて、バックライト光源１８の駆動電流値を制御できる。また、電源制御回路４６は、スイッチ２８のデューティ比及び周波数の制御、則ちＰＷＭ制御により、バックライト光源１８の平均的な輝度を制御できる。なお、スイッチ２８を制御するＰＷＭ信号のデューティ比が１００％のとき、バックライト光源１８は常時点灯し、デューティ比が０のとき、バックライト光源１８は消灯する。
【００４１】
このようにして、バックライト光源１８の平均的な輝度が、制御回路４８により指示された輝度に制御され、液晶表示モジュールからのＰＷＭ信号のデューティ比の広い範囲で安定した輝度を実現できる。
【００４２】
以上、本発明の好ましい実施形態について説明したが、本発明はこれらの実施形態に限定されず、その要旨の範囲内で種々の変形及び変更が可能である。
【図１】
2018073716.tif 000003
【図２】
2018073716.tif 000004
【図３】
2018073716.tif 000005
【図４】
2018073716.tif 000006